(57)【要約】      （修正有）【課題】搬送中の原稿からの画像読取の途中に原稿の搬送と画像読取を一旦中断する読取中断状態へ移行する間欠駆動モードにおいて、消費電力を低減できる画像読取装置を提供する。【解決手段】搬送中の原稿からの画像読取の途中に原稿の搬送と画像読取を一旦中断する読取中断状態へ移行する制御及び、読取中断状態での、画像読取センサ、アナログ信号増幅部及び信号変換部の少なくとも１つへの駆動信号の供給を停止する制御及び、画像読取を再開させるために読取中断状態から復帰する制御を行う。【選択図】図４
2010206302.tif 000002
【特許請求の範囲】
【請求項１】
原稿に光を照射する光源と、
原稿からの反射光を受光しアナログ画像信号に変換する画像読取センサと、
前記アナログ画像信号を増幅するアナログ信号増幅部と、
増幅されたアナログ画像信号をデジタル信号に変換する信号変換部と、
原稿を搬送する搬送部と、
搬送中の原稿からの画像読取の途中に原稿の搬送と画像読取を一旦中断する読取中断状態へ移行する制御、画像読取を再開させるために前記読取中断状態から復帰する制御及び、搬送中の原稿から読み取られた画像データの外部装置への送信に関する制御を行う制御手段と、
を有する画像読取装置において、
前記制御手段は画像データの前記外部装置への送信に関する制御を実行中に前記読取中断状態に移行する場合は、前記画像読取センサ、前記アナログ信号増幅部及び前記信号変換部の少なくとも１つに対する電源及び駆動信号の少なくとも一方を供給停止状態とするよう制御することを特徴とする画像読取装置。
【請求項２】
前記読取中断状態から復帰する際には、前記画像読取センサへの電源の供給と、前記画像読取センサの動作を安定させるための所定読取回数分の前記画像読取センサへの駆動信号の供給を行い、
その後に、前記アナログ信号増幅部及び前記信号変換部の少なくとも一方に対する電源及び駆動信号の少なくとも一方の前記供給停止状態から復帰するように、
前記制御手段は制御することを特徴とする請求項１に記載の画像読取装置。
【請求項３】
前記画像読取センサ、前記アナログ信号増幅部及び前記信号変換部の各電源の投入及び遮断を行う電源制御部を更に有し、
前記制御手段は前記読取中断状態では、前記画像読取センサ、前記アナログ信号増幅部及び前記信号変換部への駆動信号の供給を停止する制御を行うと共に、前記電源制御部に前記画像読取センサ、前記アナログ信号増幅部及び前記信号変換部への電源の供給を遮断させるよう制御することを特徴とする請求項１又は２に記載の画像読取装置。
【請求項４】
前記読取中断状態から復帰する際には、前記画像読取センサの電源を遮断状態から投入し、前記画像読取センサの動作を安定させるための所定読取回数分の前記画像読取センサへの駆動信号の供給を行った後に、
前記アナログ信号増幅部及び前記信号変換部の少なくとも一方に対して、電源の遮断状態からの投入と駆動信号の供給の再開とを行うよう前記制御手段は制御することを特徴とする請求項１〜３のいずれか１項に記載の画像読取装置。
【発明の詳細な説明】
【技術分野】
【０００１】
本発明は、イメージスキャナ、ファクシミリ装置などにおいて原稿画像を読み取る画像読取装置、およびその制御方法に関し、特にＬＥＤを用いた光源で原稿に照明光を照射し、原稿のラインイメージをＣＩＳ（Ｃｏｎｔａｃｔ  Ｉｍａｇｅ  Ｓｅｎｓｏｒ）センサ等の１次元イメージセンサで順次撮像する構成の画像読取装置に用いて好適なものである。
【背景技術】
【０００２】
従来の画像読取装置では、画像読取中にバッファメモリの空き容量が少なくなったことや、ホストＰＣがビジー状態になったこと等のなんらかの原因で、画像データの一時保存や受け渡しができなくなった場合に、原稿の搬送動作を一旦中断する読取中断状態に移行し、外部装置への画像データの送信の進行によってこれらの状態が回復するまで待機する間欠読取モードを有している。
【０００３】
画像読取中に読取中断状態に移行して原稿の搬送を停止させると、原稿の停止中に読み取った画像データは無意味なデータとなるため、ホストＰＣなどの外部装置に出力せずに、画像読取装置内部で捨てるなどの処理を行っていた。また、停止中に読み取った画像データは上記のように捨ててしまうため、原稿は光を照射されている必要がなく、光源を点灯しなくても問題ない。このため、間欠読取モードで原稿の搬送を停止させている間は光源を消灯し、無駄に電気を消費しないよう構成された画像読取装置が提案されている（例えば特許文献１参照）。
【特許文献１】特開平１０−２３２１９号公報
【発明の開示】
【発明が解決しようとする課題】
【０００４】
しかしながら上記従来技術では、原稿の搬送停止時に光源を消灯させるものの、間欠的な読取動作の弊害として想定される処理回路の動作が不安定になるのを避けるため、原稿の搬送停止時にも、イメージセンサやオペアンプ、Ａ／Ｄ変換器、あるいはＡＦＥ（Ａｎａｌｏｇ  Ｆｒｏｎｔ  Ｅｎｄ  ＩＣ）に対して、通常の読取動作時と同じように制御信号を供給し、これらを動作させていた。このため、間欠読取モードで原稿の搬送を停止中であってもＬＥＤを消灯する程度で、通常読取時とほとんど変わらない電力を消費してしまっていた。
【０００５】
本発明の目的は、より消費電力を低減できる画像読取装置を提供することにある。
【課題を解決するための手段】
【０００６】
上記目的を達成するために、本発明の画像読取装置は、原稿に光を照射する光源と、原稿からの反射光を受光しアナログ画像信号に変換する画像読取センサと、前記アナログ画像信号を増幅するアナログ信号増幅部と、増幅されたアナログ画像信号をデジタル信号に変換する信号変換部と、原稿を搬送する搬送部と、搬送中の原稿からの画像読取の途中に原稿の搬送と画像読取を一旦中断する読取中断状態へ移行する制御、画像読取を再開させるために前記読取中断状態から復帰する制御及び、搬送中の原稿から読み取られた画像データの外部装置への送信に関する制御を行う制御手段と、を有する画像読取装置において、前記制御手段は画像データの前記外部装置への送信に関する制御を実行中に前記読取中断状態に移行する場合は、前記画像読取センサ、前記アナログ信号増幅部及び前記信号変換部の少なくとも１つに対する電源及び駆動信号の少なくとも一方を供給停止状態とするよう制御することを特徴とする。
【発明の効果】
【０００７】
本発明によれば、間欠読取動作時の消費電力を低減させた画像読取装置を提供できる。
【発明を実施するための最良の形態】
【０００８】
以下、本発明の実施の形態を図面を参照しながら説明する。
【実施例１】
【０００９】
図２は本発明を適用した画像読取装置の構成を例示する図である。この画像読取装置の概要を以下に説明する。尚、図２に示す画像読取装置の構成は概略的であり、本構成に限るものではない。
【００１０】
図２において１００は画像読取装置、１００Ａは画像読取装置本体、１００ＢはシートＳを積載収納するシート収納部であるシート積載部、１０３はシートＳからの反射光を受光して画像を読み取るラインセンサで、本実施例では密着型イメージセンサであるＣＩＳセンサとなっている。
【００１１】
ここで、図３を用い、ラインセンサ１０３について説明する。図３において、３０１は光源であるＬＥＤ３０４の光をライン状に拡散するための導光体、３０２も同様にＬＥＤ３０５の光を拡散するための導光体、３０３は原稿からの反射光を、ＣＩＳセンサ素子に導くためのロッドレンズアレイである。図には示してないが、ロッドレンズアレイ３０３の奥に、ＣＩＳセンサ素子の基板が設置されている。ＬＥＤ３０４、３０５は赤、緑、青のＬＥＤからなり、不図示の駆動回路につながれている。
【００１２】
図２に戻り説明を続ける。１００Ｃはシート積載部１００Ｂに収納されたシートＳをラインセンサ１０３に給送する給紙装置である。そして、給送回転体である送りローラ１と、送りローラ１に圧接する分離回転体である分離ローラ２とにより構成され、シート積載部１００Ｂに積載されたシートＳを１枚ずつ分離する分離給送手段を給紙装置１００Ｃは備えている。なお、３は送りローラ１および分離ローラ２等を駆動するための送りモータである。送りモータ３の回転は不図示の駆動ギヤによって、搬送ローラ１０２ａ、１０５、プラテンローラ１０３ａや排紙ローラ１０４、１０４ｂにも伝えられている。
【００１３】
図５は分離給送手段としての搬送部への駆動力の伝達の様子を説明するための図である。図５において、３４は図１におけるメインモータ３の駆動力を伝えるためのギヤ群で、２５はギヤ群３４につながり、ワンウェイクラッチ２８を介して送りローラ軸５ａに連結され、送りローラ１を駆動するための駆動ギヤである。さらに駆動ギヤ２５の回転力は、ギヤ２６および分離ローラ２の軸６ａに固定した駆動ギヤ２７によって軸６ａに伝達される。この結果分離ローラ２の内部に装着したトルクリミッタ３１を介して、分離ローラ２が回転する。
【００１４】
送りローラ１はシート搬送方向に回転し、また分離ローラ２は弾性体で形成され、シート搬送方向とは逆にシートを戻す方向に回転するように動力が伝達される。また、分離ローラ２の駆動伝達経路内にトルクリミッタ３１を備えており、シートＳがない状態、もしくは送りローラ１および分離ローラ２の間で１枚のシートを搬送している状態では、シート搬送方向に追従回転（連れ回り）する。複数枚重なったシートＳがこれらのローラ間に突入した状態では、分離ローラ２がシート搬送方向と逆に回転する構成となっており、シートＳを１枚ずつ分離搬送することを可能としている。
【００１５】
次に、図１は本発明の第１の実施例にかかる画像読取装置の回路構成の概略を示すブロック図である。以下、図１について説明する。１１は原稿からの反射光を電気信号に変換して蓄積し、アナログ信号を出力するＣＩＳセンサ（画像読取センサ）で、光電変換素子がライン状に並んでいる。ＣＩＳセンサ１１はライン先頭信号が入力されると、光源１５による照射光が不図示の搬送中の原稿で反射された反射光を光電変換し、電荷を蓄積する。その後、蓄積された電荷を出力信号に変換し駆動クロックにあわせアナログ信号（アナログ画像信号）として次段の回路へ出力する。
【００１６】
次に増幅回路（アナログ信号増幅部）１２でＣＩＳセンサ１１から出力されたアナログ信号を増幅する。増幅回路１２は駆動クロックに同期したサンプリング等によるノイズの低減や、ゲイン切換信号等の外部からの指示でのゲイン調整により、アナログ信号を所望の値まで増幅することが可能である。１３はＡ／Ｄ変換部（信号変換部）であり増幅回路１２で増幅されたアナログ信号を指定されたビット幅のデジタル信号に変換し、駆動クロックにあわせて出力する。Ａ／Ｄ変換部１３はサンプルタイミング信号にあわせアナログ信号のサンプリングを行う。増幅回路１２とＡ／Ｄ変換部１３はＡＦＥ（Ａｎａｌｏｇ  Ｆｒｏｎｔ  Ｅｎｄ  ＩＣ）を使用することで１つのＩＣで実現してもかまわない。
【００１７】
読取動作制御部１４で各回路への駆動信号の供給、光源の点灯タイミング制御、駆動制御信号の駆動制御部への供給などを行っている。１５は光源で、図３に示すＬＥＤ３０４、３０５にあたる。１６は光源１５を点灯させるための光源点灯部であり、定電流回路などで構成されている。光源点灯部１６は読取動作制御部１４からの光源点灯信号にあわせて、光源１５を点灯する。光源１５は図３で説明したように赤、緑、青のＬＥＤからなり、読取動作制御部１４および光源点灯部１６は各ＬＥＤを個別に点灯できるように構成されている。
【００１８】
送りモータ１７は図２における送りモータ３にあたる。送りモータ１７は駆動制御部１８によって、駆動される。駆動制御部１８は読取動作制御部からの駆動制御信号の指示によって、送りモータ１７の回転、停止、速度などを制御する。
【００１９】
バッファメモリ１９は、Ａ／Ｄ変換部でのデジタル変換により生成された後、読取動作制御部１４へ入力された画像データを一時格納する。２０は外部Ｉ／Ｆ部であり、バッファメモリ１９に格納された画像データを、読取動作制御部１４を介し、画像読取装置につながれた不図示のホストＰＣに送る。
【００２０】
図４は本実施例における画像読取装置の動作を表したフローチャートである。接続されたホストＰＣ等からスキャン開始が指示されると、読取動作制御部１４はＣＩＳセンサ１１に駆動クロックおよびライン先頭信号、増幅回路１２に駆動クロック、Ａ／Ｄ変換部１３にサンプルタイミング信号、駆動クロックなどの制御信号を出力する（ステップＳ４０１）。ＣＩＳセンサ１１は駆動クロックとライン先頭信号を入力されることで、走査を開始するが、この時点で原稿はまだ読取開始位置に到達していないため、この時点で出力される画像データは不要であるので、読取動作制御部１４はこの画像データを取り込まない。次に駆動制御部１８に駆動開始の指示を行うと、駆動制御部は送りモータ１７を駆動し、原稿を搬送する（ステップＳ４０２）。搬送開始される原稿の初期位置と、読取開始位置が離れている場合、先に送りモータの駆動を開始し、制御信号の出力開始を、原稿が読取開始位置の直前に到達するまで遅らせてもかまわない。また、光源点灯信号は原稿が読取開始位置に到達した時点から出力するように構成してもかまわない。
【００２１】
原稿が読取開始位置に到達すると（ステップＳ４０３）、画像データの取り込みを開始するために、まず、バッファメモリ１９に画像データを取り込めるだけの空きがあるか確認する（Ｓ４０４）。バッファメモリに空き容量が十分あった場合、１ラインずつ画像データを取り込み、ホストＰＣに転送する（ステップＳ４０５、Ｓ４０６）。なお画像データの転送は一例としてステップＳ４０６において同期転送される記述となっているが、それ以外でも非同期で転送可能であるものとする。またホストＰＣがビジー状態等で転送不可能あればステップＳ４０６では画像データの転送は行わないものとする。ステップＳ４０４からＳ４０６の動作は原稿１ページ分の読取と転送が終わるまで繰り返し行われる。
【００２２】
ホストＰＣでの画像データの引き取りの遅れ等によりステップＳ４０４にてバッファメモリに十分な空き容量がないと判断された場合、画像データのホストＰＣへの送信に関する制御を実行し続ける一方で、画像データをバッファメモリ１９に取り込めないので、読み取りの途中で読取動作を一旦中断するために送りモータの駆動を停止する（ステップＳ４１０）。このとき、読取動作制御部１４はＣＩＳセンサ１１増幅回路１２、Ａ／Ｄ変換部１３、光源点灯部１９に供給している制御信号を停止する等の、読取動作の遂行に係る信号の出力停止（供給停止状態にする処理）を行う（ステップＳ４１１）。このように構成することによって読取動作停止中には、ＣＩＳセンサ１１、増幅回路１２、Ａ／Ｄ変換部１３、光源点灯部１９が動作せず、無駄な電力を削減出来る。なお、各部がスリープ機能等の電力使用量を抑えられる機能を持っている場合は、制御信号の停止ではなくこの機能を用いて、省電力状態としてもかまわない。また、ＣＩＳセンサ１１増幅回路１２、Ａ／Ｄ変換部１３、光源点灯部１９に供給している制御信号のうち、いずれか２つ又は１つを停止してもよく、ある程度の消費電力低減は可能である。
【００２３】
並行して進行しているホストＰＣへの画像データの転送が進み、バッファメモリ１９に十分な空き容量ができると（ステップＳ４１２でＹｅｓ）、再び、読取動作制御部１４はＣＩＳセンサ１１、増幅回路１２、Ａ／Ｄ変換部１３、光源点灯部１９に制御信号を供給する（ステップＳ４１３）。このようにしてＣＩＳセンサ１１、増幅回路１２、Ａ／Ｄ変換部１３、光源点灯部１９に動作を開始させるとともに、駆動制御部１８に駆動開始の指示がされ、駆動制御部は送りモータ１７を駆動し、原稿搬送を再開する（ステップＳ４１４）。ＣＩＳセンサ１１、増幅回路１２、Ａ／Ｄ変換部１３などが安定して動作するまでに時間がかかる場合は、その時間待ってから、ステップＳ４１４を実行してもかまわない。
【００２４】
以上のような手順を繰り返し、原稿１ページ分の画像データが読み取られると（ステップＳ４０７でＹｅｓ）、モータ駆動、および制御信号を停止し（ステップＳ４０８、Ｓ４０９）、１ページのスキャン動作が終了する。本実施例の構成では、バッファメモリ１９に空き容量がなくなり、ホストＰＣに画像データを転送し、空き容量が増えるまでの時間、スキャン動作を停止するとともに各デバイスへの制御信号を停止し、各デバイスの動作を停止することで、この待ち時間の使用電力を低減させることが可能となる。なお複数枚の原稿を連続して読み取る場合は、上記スキャン動作を繰り返し行う。
【実施例２】
【００２５】
以下、本発明の第２の実施例について図面を用いて説明する。ここでまず、図６は本発明を適用した画像読取装置の動作を例示するフローチャートである。この画像読取装置の概要を以下に説明する。なお、本体の構成および回路構成は第１の実施例で示した図１、２、３、および５と同じであるが、本実施例で用いるＣＩＳセンサは、動作を一旦停止させた場合は復帰動作が必要となる点が異なる。この復帰動作の必要性を説明する。ＣＩＳセンサに供給している駆動クロックおよびライン先頭信号を停止している間、光源は点灯していない。光源を点灯していない状態では、本来ＣＩＳセンサには電荷が蓄積されないはずだが、外光や漏れ電流などの影響により、ＣＩＳセンサは徐々に電荷を蓄積してしまう。このように電荷が蓄積されていく状態が長く続くと、電荷が飽和しＣＩＳセンサが正常に動作しなくなっている可能性がある。一旦このような状態になってから正常動作状態に回復させるためには、駆動クロックが供給されている状態でライン先頭信号を何回か入力し、ＣＩＳセンサの電荷を放出させるリセット処理が必要である。
【００２６】
図６において、接続されたホストＰＣ等からスキャン開始が指示されると、読取動作制御部１４はＣＩＳセンサ１１に駆動クロックおよびライン先頭信号を出力する（ステップＳ６０１）。ＣＩＳセンサ１１に駆動クロックおよびライン先頭信号を供給することで、複数ラインのダミー読取を実行させる。ＣＩＳセンサ１１はライン先頭信号の供給に合わせて、電荷の蓄積を開始するとともに所定の時間にわたって蓄積を続け、その後駆動クロックに合わせて蓄積された電荷を出力する。これを何度か繰り返すことで、動作停止時にＣＩＳセンサ１１に蓄積された不要な電荷が掃き出されてリセットされ、正常動作状態に回復する。
【００２７】
上記の回復動作を行うためのダミー読取の回数（所定読取回数）であるが、あらかじめＣＩＳセンサ１１からの出力波形を観察しておくことで、回復までに何ラインのダミー読取を行わせることが適当か、すなわちライン先頭信号をいくつ入れればよいか予め定めておくことが可能である。その回数だけ、ライン先頭信号を出力するまでダミー読取を繰り返して回復動作を行う（ステップＳ６０２）。回復動作が完了した後、増幅回路１２、Ａ／Ｄ変換部１３などにも駆動信号を供給する（ステップＳ６０３）。
【００２８】
ＣＩＳセンサ１１、増幅回路１２、Ａ／Ｄ変換部１３に駆動信号を入力することで、読取動作制御部１４に画像データが入力可能な状態となるが、この時点で原稿はまだ読取開始位置に到達していないため、この時点で出力される画像データは不要であり、読取動作制御部１４はこの画像データを取り込まない。又は、この画像データを取り込んでから破棄するようにしてもよい。次に駆動制御部１８に駆動開始の指示を行うと、駆動制御部は送りモータ１７を駆動し、原稿を搬送する（ステップＳ６０４）。光源点灯信号はステップＳ６０３の時点から供給してもかまわないが、原稿が読取開始位置に到達するまでの画像データは不要であるため、読取開始位置に原稿が到達してから光源点灯信号を供給するように構成してもかまわない。
【００２９】
原稿が読取開始位置に到達すると（ステップＳ６０５）、画像データの取り込みを開始するために、まず、バッファメモリ１９に画像データを取り込めるだけの空きがあるか確認する（ステップＳ６０６）。バッファメモリに空き容量が十分あった場合、１ラインずつ画像データを取り込み、ホストＰＣに転送する（ステップＳ６０７、Ｓ６０８）。なお画像データの転送は一例としてステップＳ６０８において同期転送される記述となっているが、それ以外でもホストＰＣ側が受け入れ可能であれば、画像読取動作に対して非同期で画像データの転送を行うものとする。またホストＰＣがビジー状態等で受け入れ不可能であればステップＳ６０８では画像データの転送は行わないものとする。ステップＳ６０６からＳ６０８の動作は原稿１ページ分繰り返し行われる。ホストＰＣ側の画像データの引き取りの遅れ等によりステップＳ６０６にてバッファメモリに空き容量が十分にないと判断された場合、画像データを取り込めないので、読取動作を一旦中断するために送りモータの駆動を停止する（ステップＳ６１２）。このとき、読取動作制御部１４はＣＩＳセンサ１１、増幅回路１２、Ａ／Ｄ変換部１３、光源点灯部１９に供給している制御信号を停止（遮断）する等の、読取動作の遂行に係る信号の出力停止（供給停止状態にする処理）を行う（ステップＳ６１３）。このように構成することによって読取動作停止中には、ＣＩＳセンサ１１、増幅回路１２、Ａ／Ｄ変換部１３、光源点灯部１９が動作せず、無駄な電力消費を抑えられる。なお、増幅回路１２、Ａ／Ｄ変換部１３、光源点灯部１９のうち２つ又は１つ（すなわち少なくとも１つ）の制御信号を停止してもよく、ある程度の電力消費の低減が可能である。
【００３０】
並行して進行しているホストＰＣへの画像データの転送が進み、バッファメモリ１９に十分な空き容量ができると（ステップＳ６１４でＹｅｓ）、まず、ＣＩＳセンサ１１に駆動クロックおよびライン先頭信号を所定回数供給する（ステップＳ６１５）。こうすることによって、ステップＳ６０１と同様に、動作停止時にＣＩＳセンサ１１にたまってしまっていた電荷を掃き出させるリセット処理を行い、正常動作状態を回復する。回復動作を所定回数行った後（ステップＳ６１６）読取動作制御部１４は増幅回路１２、Ａ／Ｄ変換部１３、光源点灯部１９に制御信号を供給する（ステップＳ６１７）。なお増幅回路１２、Ａ／Ｄ変換部１３のうちどちらか一方しか制御信号の供給の遮断を行っていなかった場合は、この２つのうち一方への制御信号の供給の再開をおこなう。すなわち他の場合も含めると、この２つのうち少なくとも一方への制御信号の供給の再開をおこなうことになる。このようにしてＣＩＳセンサ１１、増幅回路１２、Ａ／Ｄ変換部１３、光源点灯部１９に動作を開始させるとともに、駆動制御部１８に駆動開始の指示がされ、駆動制御部は送りモータ１７を駆動し、原稿搬送を再開する（ステップＳ６１８）。
【００３１】
以上のような手順を繰り返し、原稿1ページ分の画像データが読み取られると（ステップＳ６０９でＹｅｓ）、送りモータの駆動および制御信号の送出を停止し（ステップＳ６１０、Ｓ６１１）、１ページのスキャン動作が終了する。本実施例の構成では、バッファメモリ１９に空き容量がなくなり、ホストＰＣに画像データを転送し、空き容量が増えるまでの時間、スキャン動作を停止するとともに、各デバイスへの制御信号を停止し、各デバイスの動作を停止することで、この待ち時間の使用電力を低減させることが可能となる。また、原稿読取を開始または再開する前にＣＩＳセンサ１１のダミーの駆動を所定の回数実行することで、読取動作停止中にＣＩＳセンサ１１に溜まってしまった電荷を掃き出して、正常に動作させることが可能となる。なお複数枚の原稿を連続して読み取る場合は、上記スキャン動作を繰り返し行う。
【実施例３】
【００３２】
以下、本発明の第３の実施例について図面を用いて説明する。ここでまず、図７は本発明の第３の実施例にかかる画像読取装置の回路構成の概略を示すブロック図である。この画像読取装置の概要を以下に説明する。なお、本体の機械的構成は第１の実施例で示した図２、３、および５と同じである。図７について説明する。図７の回路構成は、実施例１の図１の回路構成に、各ブロックの電源の投入遮断を制御する電源制御部７１１を追加した構成となっている。
【００３３】
ＣＩＳセンサ７０１は画像を読み取ってアナログ信号を出力するセンサで、光電変換素子がライン状に並んでいる。ＣＩＳセンサ７０１はライン先頭信号が入力されると、光源７０５による照射光の不図示の原稿での反射光を光電変換し、電荷を蓄積する。その後、蓄積された電荷を出力信号に変換し、駆動クロックにあわせアナログ信号として次段の回路へ出力する。７０２は増幅回路でＣＩＳセンサ７０１から出力されたアナログ信号を増幅する。増幅回路７０２は駆動クロックに同期したサンプリング等によるノイズの低減や、ゲイン切換信号等の外部からの指示でのゲイン調整により、アナログ信号を所望の値まで増幅することが可能である。７０３はＡ／Ｄ変換部であり増幅回路７０２で増幅されたアナログ信号を指定されたビット幅のデジタル信号に変換し、駆動クロックにあわせて出力する。Ａ／Ｄ変換部７０３はサンプルタイミング信号にあわせアナログ信号のサンプリングを行う。増幅回路７０２とＡ／Ｄ変換部１３はＡＦＥ（Ａｎａｌｏｇ  Ｆｒｏｎｔ  Ｅｎｄ  ＩＣ）を使用することで１つのＩＣで実現してもかまわない。
【００３４】
読取動作制御部７０４は、各回路への駆動信号の供給、光源の点灯タイミング制御、駆動制御信号の駆動制御部への供給などを行っている。７０５は光源で、図３に示すＬＥＤ３０４、３０５にあたる。７０６は光源７０５を点灯させるための光源点灯部で定電流回路などで構成されている。光源点灯部７０６は読取動作制御部７０４からの光源点灯信号にあわせて、光源７０５を点灯する。光源７０５は図３で説明したように赤、緑、青のＬＥＤからなり、読取動作制御部７０４および光源点灯部７０６は各ＬＥＤを個別に点灯できるように構成されている。
【００３５】
送りモータ７０７は図２における送りモータ３にあたる。送りモータ７０７は駆動制御部７０８によって、駆動される。駆動制御部１８は読取動作制御部からの駆動制御信号の指示によって、送りモータ７０７の回転、停止、速度などを制御する。７０９はバッファメモリであり、Ａ／Ｄ変換部７０３により生成され読取動作制御部７０４へ入力された画像データを一時格納する。７１０の外部Ｉ／Ｆ部はバッファメモリ７０９に格納された画像データを、読取動作制御部７０４を介し、画像読取装置につながれた不図示のホストＰＣに送る。７１１は電源制御部でＣＩＳセンサ７０１、増幅回路７０２、Ａ／Ｄ変換部７０３、光源点灯部７０６に供給する電源を独立にＯＮ／ＯＦＦすることが可能である。
【００３６】
次に図８のフローチャートを用い、本画像読取装置の動作について説明する。接続されたホストＰＣ等からスキャン開始が指示されると、読取動作制御部７０４はＣＩＳセンサ７０１に駆動クロックおよびライン先頭信号、増幅回路７０２に駆動クロック、Ａ／Ｄ変換部７０３にサンプルタイミング信号、駆動クロックなどの制御信号を出力する（ステップＳ８０１）。ＣＩＳセンサ７０１は駆動クロックとライン先頭信号を入力することで、走査を開始するが、この時点で原稿はまだ読取開始位置に到達していないため、この時点で出力される画像データは無意味なデータであるので、読取動作制御部７０４はこの画像データを取り込まない。次に駆動制御部７０８に駆動開始の指示を行うと、駆動制御部は送りモータ７０７を駆動し、原稿を搬送する（ステップＳ８０２）。搬送開始される原稿の初期位置と、読取開始位置が離れている場合、先にモータの駆動を開始し、制御信号の出力開始を、原稿が読取開始位置の前の所定位置に到達するまで遅らせてもかまわない。また、光源開始信号は読取開始位置から出力するように構成してもかまわない。
【００３７】
原稿が読取開始位置に到達すると（ステップＳ８０３でＹｅｓ）、画像データの取り込みを開始するために、まず、バッファメモリ７０９に画像データを取り込めるだけの空きがあるか確認する（ステップＳ８０４）。バッファメモリに空き容量が十分あった場合、１ラインずつ画像データを取り込み、ホストＰＣに転送する（ステップＳ８０５、Ｓ８０６）。なお画像データの転送は一例としてステップＳ８０６において同期転送される記述となっているが、それ以外でもホストＰＣ側が受け入れ可能であれば、画像読取動作に対して非同期で転送を行うものとする。またホストＰＣがビジー状態等で受け入れ不可能であればステップＳ８０６では画像データの転送は行わないものとする。ステップＳ８０４からＳ８０６の動作は原稿１ページ分の読取と転送が終わるまで繰り返し行われる。ホストＰＣでの画像データの引き取りの遅れ等によりステップＳ８０４にてバッファメモリに十分な空き容量がないと判断された場合、画像データを取り込めないので、読取動作を一旦中断するために送りモータの駆動を停止する（ステップＳ８１０）。このとき、読取動作制御部７０４はＣＩＳセンサ７０１、増幅回路７０２、Ａ／Ｄ変換部７０３、光源点灯部７０９に供給している制御信号を停止する等の、読取動作の遂行に係る信号の出力停止（供給停止状態にする処理）を行う（ステップＳ８１１）。次に、読取動作制御部７０４は電源制御部７１１にＣＩＳセンサ７０１、増幅回路７０２、Ａ／Ｄ変換部７０３、光源点灯部７０９の電源の供給をＯＦＦ（遮断）するように指示する。電源制御部７１１は読取動作制御部７０４からの指示により、電源の供給をＯＦＦする（ステップＳ８１２）。
【００３８】
このように構成することによって、読取動作停止中には、ＣＩＳセンサ７０１、増幅回路７０２、Ａ／Ｄ変換部７０３、光源点灯部７０９の電源がＯＦＦされているので、無駄な電力を削減出来る。
【００３９】
画像読取装置では、バッファメモリ７０９に格納されたデータが外部Ｉ／Ｆ部７１０を介してホストＰＣに転送され、バッファメモリ７０９にある程度の空き容量ができるまで読取動作が停止されている。この停止時間はホストＰＣの状態等によっても変わり、ホストＰＣがほかの重い処理を行っている場合は、長い時間データの転送待ちをする必要がある。この間、ＣＩＳセンサ７０１、増幅回路７０２、Ａ／Ｄ変換部７０３、光源点灯部７０９は何も仕事をする必要がないので、これらの電源をＯＦＦしてしまうことで、さらに間欠読取モード時の消費電力を削減出来る。
【００４０】
読取動作が停止されている間にも非同期で進行しているホストＰＣへの画像データの転送が進み、バッファメモリ７０９に十分な空き容量ができると（ステップＳ８１３でＹｅｓ）、再び、読取動作制御部７０４は遮断状態になっているＣＩＳセンサ７０１、増幅回路７０２、Ａ／Ｄ変換部７０３、光源点灯部７０９の電源を供給するように、電源制御部７１１に指示し、電源制御部はこの指示にしたがって、電源の供給を再開する（ステップＳ８１４）。
【００４１】
この後、読取動作制御部７０４はＣＩＳセンサ７０１、増幅回路７０２、Ａ／Ｄ変換部７０３、光源点灯部７０９に制御信号を供給する（ステップＳ８１５）。このようにしてＣＩＳセンサ７０１、増幅回路７０２、Ａ／Ｄ変換部７０３、光源点灯部７０９に動作を開始させるとともに、駆動制御部７０８に駆動開始の指示がされ、駆動制御部は送りモータ７０７を駆動し、原稿搬送を再開する（ステップＳ８１６）。ＣＩＳセンサ７０１、増幅回路７０２、Ａ／Ｄ変換部７０３などが安定して動作するまでに時間がかかる場合は、その時間を待ってからステップＳ８１６を実行してもかまわない。
【００４２】
以上のような手順を繰り返し、原稿1ページ分の画像データが読み取られると（ステップＳ８０７でＹｅｓ）、送りモータの駆動および制御信号の送出を停止し（ステップＳ８０８、Ｓ８０９）、１ページのスキャン動作が終了する。本実施例の構成では、バッファメモリ７０９に空き容量がなくなり、ホストＰＣに画像データを転送し、空き容量が増えるまでの時間、スキャン動作を停止するとともに、各デバイスへの制御信号を停止した後、電源をＯＦＦすることによって、各デバイスが読取動作停止中に消費していた無駄な電力を削減出来る。なお複数枚の原稿を連続して読み取る場合は、上記スキャン動作を繰り返し行う。
【実施例４】
【００４３】
以下、本発明の第４の実施例について図面を用いて説明する。ここでまず、図９は本発明を適用した画像読取装置の動作を例示するフローチャートである。この画像読取装置の概要を以下に説明する。なお、本体の構成および回路構成は第１の実施例で示した図２、３、５および、第３の実施例で示した図７と同じであるが、本実施例で用いるＣＩＳセンサは、動作を停止させた後もしくは電源投入後に復帰動作が必要となる点が異なる。この復帰動作の必要性を説明する。ＣＩＳセンサに供給している駆動クロックおよびライン先頭信号を停止している間、光源は点灯していない。光源を点灯していない状態では、本来ＣＩＳセンサには電荷が蓄積されないはずだが、外光や漏れ電流などの影響により、ＣＩＳセンサは電荷を蓄積してしまう。この電荷が蓄積されていく状態が長く続くと、電荷が飽和しＣＩＳセンサが正常に動作しなくなっている可能性がある。一旦このような状態になってから正常動作状態に回復させるためには、駆動クロックが供給されている状態でライン先頭信号を何回か入力し、ＣＩＳセンサの電荷を放出させるリセット処理が必要である。
【００４４】
図９において、接続されたホストＰＣ等からスキャン開始が指示されると、読取動作制御部７０４はＣＩＳセンサ７０１に駆動クロックおよびライン先頭信号を出力する（ステップＳ９０１）。ＣＩＳセンサ７０１に駆動クロックおよびライン先頭信号を供給することで、複数ライン（所定読取回数分）のダミー読取を実行させる。ＣＩＳセンサ７０１はライン先頭信号に合わせて、電荷の蓄積を開始するとともに所定の時間にわたって蓄積を続け、その後駆動クロックに合わせて蓄積された電荷を出力する。これを何度か繰り返すことで、動作停止時にＣＩＳセンサ７０１にたまってしまっていた不要な電荷が掃き出されてリセットされ、正常動作状態に回復する。
【００４５】
この回復動作を行うためのダミー読取の回数であるが、第２の実施例で説明したように、あらかじめＣＩＳセンサ７０１からの出力波形を観察しておくことで、回復までに何ラインのダミー読取を行わせることが適当か、すなわち回数ライン先頭信号をいくつ入力すればよいか予め定めておくことが可能である。その回数だけライン先頭信号を出力するまでダミー読取を繰り返して回復動作を行う（ステップＳ９０２）。回復動作が完了すると、増幅回路７０２、Ａ／Ｄ変換部７０３などにも駆動信号を供給する（ステップＳ９０３）。
【００４６】
ＣＩＳセンサ７０１、増幅回路７０２、Ａ／Ｄ変換部７０３に駆動信号を入力することで、読取動作制御部７０４に画像データが入力可能な状態となるが、この時点で原稿はまだ読取開始位置に到達していないため、この時点で出力される画像データは不要であり、読取動作制御部７０４はこの画像データを取り込まない。次に駆動制御部７０８に駆動開始の指示を行うと、駆動制御部は送りモータ７０７を駆動し、原稿を搬送する（ステップＳ９０４）。
【００４７】
原稿が読取開始位置に到達すると（ステップＳ９０５）、画像データの取り込みを開始するために、まず、バッファメモリ９０９に画像データを取り込めるだけの空きがあるか確認する（ステップＳ９０６）。バッファメモリに空き容量が十分あった場合、１ラインずつ画像データを取り込み、ホストＰＣに転送する（ステップＳ９０７、Ｓ９０８）。なお画像データの転送は一例としてステップＳ９０８において同期転送される記述となっているが、それ以外でもホストＰＣ側が受け入れ可能であれば読取動作に対して非同期で転送を行うものとする。またホストＰＣ側がビジー状態等で受け入れ不可能であればステップＳ９０８では画像データの転送は行わないものとする。ステップＳ９０６からＳ９０８の動作は原稿１ページ分繰り返し行われる。ホストＰＣでの画像データの引き取りの遅れ等によりステップＳ９０６にてバッファメモリに十分な空き容量がないと判断された場合、画像データを取り込めないので、読取動作を一旦中断するために送りモータの駆動を停止する（ステップＳ９１２）。このとき、読取動作制御部７０４はＣＩＳセンサ７０１、増幅回路７０２、Ａ／Ｄ変換部７０３、光源点灯部７０９に供給している制御信号を停止する等の、読取動作の遂行に係る信号の出力停止（供給停止状態にする処理）を行う（ステップＳ９１３）。次に、読取動作制御部７０４は電源制御部７１１にＣＩＳセンサ７０１、増幅回路７０２、Ａ／Ｄ変換部７０３、光源点灯部７０９の電源の供給をＯＦＦするように指示する。電源制御部７１１は読取動作制御部７０４からの指示により、電源の供給をＯＦＦする（ステップＳ９１４）。なお、ＣＩＳセンサ７０１、増幅回路７０２、Ａ／Ｄ変換部７０３、光源点灯部７０９に供給している制御信号を停止しなくても消費電力の低減は可能であるが、電源をＯＦＦしている回路に制御信号を供給し続けることは好ましくないため、制御信号を電源ＯＦＦとほぼ同時に停止することが好適である。
【００４８】
並行して進行しているホストＰＣへの画像データの転送が進み、バッファメモリ９０９に十分な空き容量ができると（ステップＳ９１５）、再び、読取動作制御部７０４はＣＩＳセンサ７０１、増幅回路７０２、Ａ／Ｄ変換部７０３、光源点灯部７０９の電源を供給するように、電源制御部７１１に指示し、電源制御部はこの指示にしたがって、電源の供給を再開する（ステップＳ９１６）。
【００４９】
次に、読取動作制御部７０４はＣＩＳセンサ７０１に駆動クロックおよびライン先頭信号を供給する（ステップＳ９１７）。こうすることによって、ステップＳ９０１と同様に、動作停止時にＣＩＳセンサ７０１に電荷が溜まってしまっていた状態や、電源投入直後の不定な状態がリセットされ、正常動作状態に回復する。一定回数ライン先頭信号を入力することで回復動作を行った後（ステップＳ９１８）、読取動作制御部７０４は増幅回路７０２、Ａ／Ｄ変換部７０３、光源点灯部７０９に制御信号を供給する（ステップＳ９１９）。このようにしてＣＩＳセンサ７０１、増幅回路７０２、Ａ／Ｄ変換部７０３、光源点灯部７０９に動作を開始させるとともに、駆動制御部７０８に駆動開始の指示がされ、駆動制御部は送りモータ７０７を駆動し、原稿搬送を再開する（ステップＳ９２０）。
【００５０】
以上のような手順を繰り返し、原稿１ページ分の画像データが読み取られると（ステップＳ９０９でＹｅｓ）、送りモータの駆動および制御信号の送出を停止し（ステップＳ９１０、Ｓ９１１）、１ページのスキャン動作が終了する。
【００５１】
本実施例の構成では、バッファメモリ７０９に空き容量がなくなり、ホストＰＣに画像データを転送し、空き容量が増えるまでの間は、スキャン動作を停止するとともに、各デバイスへの制御信号を停止した後、電源をＯＦＦすることによって、各デバイスが読取動作停止中に消費していた無駄な電力を削減することができる。さらに、電源再投入後にＣＩＳセンサを一定回数動作させることによって、電源投入直後の不定な状態をリセットし、正常状態にしてから読取動作を再開できる。なお複数枚の原稿を連続して読み取る場合は、上記スキャン動作を繰り返し行う。上記各実施例の構成要素を組み合わせて使うことも可能であり、本発明に含まれる。
【図面の簡単な説明】
【００５２】
【図１】第１の実施例における画像読取装置の回路構成を例示するブロック図
【図２】画像読取装置の概略構成を示す断面図
【図３】ラインセンサの構成を示す図
【図４】第１の実施例における画像読取装置の動作を例示するフローチャート
【図５】分離給送手段の駆動力の伝達を説明するための図
【図６】第２の実施例における画像読取装置の動作を例示するフローチャート
【図７】第３の実施例における画像読取装置の回路構成を例示するブロック図
【図８】第３の実施例における画像読取装置の動作を例示するフローチャート
【図９】第４の実施例における画像読取装置の動作を例示するフローチャート
【符号の説明】
【００５３】
１  送りローラ
２  分離ローラ
３  送りモータ
１１  ＣＩＳセンサ
１２  増幅回路
１３  Ａ／Ｄ変換部
１４  読取動作制御部
１５  光源
１６  光源点灯部
１７  送りモータ
１８  駆動制御部
１９  バッファメモリ
２０  外部Ｉ／Ｆ部
１００  画像読取装置
１００Ｃ  給紙装置（分離給送手段）
１０３  ラインセンサ
１０２ａ  搬送ローラ
１０３ａ  プラテンローラ
１０４  排紙ローラ
３０４  ＬＥＤ
３０５  ＬＥＤ
７０１  ＣＩＳセンサ
７０２  増幅回路
７０３  Ａ／Ｄ変換部
７０４  読取動作制御部
７０５  光源
７０６  光源点灯部
７０７  送りモータ
７０８  駆動制御部
７０９  バッファメモリ
７１０  外部Ｉ／Ｆ部
７１１  電源制御部
【図１】
2010206302.tif 000003
【図２】
2010206302.tif 000004
【図３】
2010206302.tif 000005
【図４】
2010206302.tif 000006
【図５】
2010206302.tif 000007
【図６】
2010206302.tif 000008
【図７】
2010206302.tif 000009
【図８】
2010206302.tif 000010
【図９】
2010206302.tif 000011